(57)【特許請求の範囲】
【請求項１】
それぞれ異なる符号化方式で符号化された放送データが多重化されて配信される放送システムより、携帯端末装置における復号処理に適した一の符号化方式で符号化された放送データを受信した後に、受信した放送データを復号して表示する携帯端末装置であって、
外部接続装置に接続されたことを検出する検出手段と、
この検出手段により前記外部接続装置に接続されたことを検出すると、前記外部接続装置における復号処理に適した他の符号化方式で符号化された放送データを前記外部接続装置へ出力する出力手段と、
を備えたことを特徴とする携帯端末装置。
【請求項２】
それぞれ異なる符号化方式で符号化された放送データが多重化されて配信される放送システムより、携帯端末装置における復号処理に適した一の符号化方式で符号化された放送データを受信した後に、受信した放送データを復号して表示する携帯端末装置と、この携帯端末装置に接続される外部接続装置からなる放送データ受信システムにおいて、
前記携帯端末装置が前記外部接続装置に接続されたことを検出する検出手段と、
前記携帯端末装置は、前記検出手段により前記外部接続装置に接続されたことを検出すると、前記外部接続装置における復号処理に適した他の符号化方式で符号化された放送データを前記外部接続装置へ出力する第１の出力手段と、
を備えたことを特徴とする放送データ受信システム。
【請求項３】
前記携帯端末装置は充電池を備え、
前記外部接続装置は、前記充電池を充電する充電手段を備えた、
ことを特徴とする請求項２に記載の放送データ受信システム。
【請求項４】
前記外部接続装置は、受信するチャンネルを選局する選局手段を、更に備えた、
ことを特徴とする請求項３に記載の放送データ受信システム。
【請求項５】
前記携帯端末装置は、前記一の符号化方式で符号化された放送データを前記外部接続装置へ出力する第２の出力手段を備えるとともに、
前記外部接続装置は、この第２の出力手段によって出力された放送データを記録する記録手段を更に備えた、
ことを特徴とする請求項４に記載の放送データ受信システム。
【請求項６】
前記記録手段は、前記外部接続装置に対して着脱可能に構成された外部記録媒体である、
ことを特徴とする請求項５に記載の放送データ受信システム。
【請求項７】
前記第１の出力手段による出力を行うか、前記第２の出力手段による出力を行うかを設定する設定手段を更に備えた、
ことを特徴とする請求項５又は６に記載の放送データ受信システム。
【請求項８】
前記携帯端末装置は、当該携帯端末装置が受信するチャンネルを選局する選択手段を、さらに備え、
前記外部接続装置が備える選局手段は、前記携帯端末装置が備える選局手段よりもサイズが大きい、
ことを特徴とする請求項４に記載の放送データ受信システム。
【請求項９】
それぞれ異なる符号化方式で符号化された放送データが多重化されて配信される放送システムより、携帯端末装置における復号処理に適した一の符号化方式で符号化された放送データを受信した後に、受信した放送データを復号して表示する携帯端末装置と、この携帯端末装置に接続される外部接続装置からなる放送データ受信システムの放送データ出力方法であって、
前記携帯端末装置が前記外部接続装置に接続されたことを検出する検出ステップと、
この検出ステップにより外部接続装置に接続されたことを検出すると、前記外部接続装置における復号処理に適した他の符号化方式で符号化された放送データを前記外部接続装置へ出力する第１の出力ステップと、
からなることを特徴とする放送データ出力方法。
【請求項１０】
前記外部接続装置が、前記携帯端末装置に備えられた充電池を充電する充電ステップを更に含むこと、
を特徴とする請求項９に記載の放送データ出力方法。
【請求項１１】
コンピュータを、
それぞれ異なる符号化方式で符号化された放送データが多重化されて配信される放送システムより、携帯端末装置における復号処理に適した一の符号化方式で符号化された放送データの復号されたデータを表示する表示手段、
外部接続装置に接続されたことを検出する検出手段、
この検出手段により前記外部接続装置に接続されたことを検出すると、前記外部接続装置における復号処理に適した他の符号化方式で符号化された放送データを前記外部接続装置へ出力する出力手段、
として機能させることを特徴とする携帯端末装置の放送受信プログラム。
【発明の詳細な説明】
【技術分野】
【０００１】
本発明は、地上波デジタル信号を受信する放送受信装置、放送データ受信システム、及び、放送データに基づいてデータを出力する放送データ出力方法に関する。
【背景技術】
【０００２】
地上の電波塔から送信する地上波テレビ放送をデジタル化した地上波デジタル放送が、２００６年以降、その他の地域でも開始される予定である。これに伴って、現在普及しているテレビ受像機をすべて地上波デジタル放送対応にする必要があるが、相当時間を要することが予想されるため、２０１１年７月までは、従来のアナログ放送とデジタル放送で全く同一の内容を放送するサイマル放送が行われることになっている。
【０００３】
この地上波デジタル放送の送信アンテナから送出される任意チャンネルの地上波テレビジョン放送データには、１３個のセグメントが含まれている。放送局はこれらのセグメントにより異なる受信端末に向け配信するが、１２セグメントは家庭向けの放送データ、残りの１セグメントは携帯電話機等のモバイル受信端末向けの放送データになっている。  従って、視聴者は所有する受信端末が異なっていてもハイビジョン放送、標準放送、モバイル受信端末用の１セグメント放送を受信することができる。
【０００４】
ところで、ＰＤＡや携帯電話機などのモバイル受信端末を用いて地上波デジタル放送を楽しむ場合、地上波デジタル放送における１３セグメントのうち、１２セグメント放送と１セグメント放送の変調方式が異なっている。そこで、１２セグメント放送と１セグメント放送とに兼用できるデジタル放送受信装置及びデジタル放送受信制御方法が開示されている（特許文献１、参照）
【特許文献１】特開２００５―２０３４０号公報
【発明の開示】
【発明が解決しようとする課題】
【０００５】
しかしながら、従来のデジタル放送受信装置では、このデジタル放送受信装置をＰＤＡや携帯電話等のモバイル受信端末に接続しなければ、これらのモバイル受信端末を用いて地上波デジタル放送を観ることができないという問題があった。
【０００６】
本発明の課題は、１セグメント放送を含むすべての地上波デジタル放送を受信し、出力することを可能にすることである。
【課題を解決するための手段】
【０００７】
上記課題を解決するために、請求項１に記載の発明は、
それぞれ異なる符号化方式で符号化された放送データが多重化されて配信される放送システムより、携帯端末装置における復号処理に適した一の符号化方式で符号化された放送データを受信した後に、受信した放送データを復号して表示する携帯端末装置であって、
外部接続装置に接続されたことを検出する検出手段と、
この検出手段により前記外部接続装置に接続されたことを検出すると、前記外部接続装置における復号処理に適した他の符号化方式で符号化された放送データを前記外部接続装置へ出力する出力手段と、
を備えたことを特徴とする。
【０００８】
請求項２に記載の発明は、
それぞれ異なる符号化方式で符号化された放送データが多重化されて配信される放送システムより、携帯端末装置における復号処理に適した一の符号化方式で符号化された放送データを受信した後に、受信した放送データを復号して表示する携帯端末装置と、この携帯端末装置に接続される外部接続装置からなる放送データ受信システムにおいて、
前記携帯端末装置が前記外部接続装置に接続されたことを検出する検出手段と、
前記携帯端末装置は、前記検出手段により前記外部接続装置に接続されたことを検出すると、前記外部接続装置における復号処理に適した他の符号化方式で符号化された放送データを前記外部接続装置へ出力する第１の出力手段と、
を備えたことを特徴としている。
【０００９】
請求項３に記載の発明は、請求項２に記載の放送データ受信システムにおいて、
前記携帯端末装置は充電池を備え、
前記外部接続装置は、前記充電池を充電する充電手段を備える、
ことを特徴としている。
【００１０】
請求項４に記載の発明は、請求項３に記載の放送データ受信システムにおいて、
前記外部接続装置は、受信するチャンネルを選局する選局手段を、更に備える、
ことを特徴としている。
【００１１】
請求項５に記載の発明は、請求項４に記載の放送データ受信システムにおいて、
前記携帯端末装置は、前記一の符号化方式で符号化された放送データを前記外部接続装置へ出力する第２の出力手段を備えるとともに、
前記外部接続装置は、この第２の出力手段によって出力された放送データを記録する記録手段を更に備える、
ことを特徴としている。
【００１２】
請求項６に記載の発明は、請求項５に記載の放送データ受信システムにおいて、
前記記録手段は、前記外部接続装置に対して着脱可能に構成された外部記録媒体である、
ことを特徴としている。
【００１３】
請求項７に記載の発明は、請求項５又は６に記載の放送データ受信システムにおいて、
前記第１の出力手段による出力を行うか、前記第２の出力手段による出力を行うかを設定する設定手段を更に備える、
ことを特徴としている。
【００１４】
請求項８に記載の発明は、請求項４に記載の放送データ受信システムにおいて、
前記携帯端末装置は、当該携帯端末装置が受信するチャンネルを選局する選択手段を、さらに備え、
前記外部接続装置が備える選局手段は、前記携帯端末装置が備える選局手段よりもサイズが大きい、
ことを特徴としている。
【００１５】
請求項９に記載の発明は、
それぞれ異なる符号化方式で符号化された放送データが多重化されて配信される放送システムより、携帯端末装置における復号処理に適した一の符号化方式で符号化された放送データを受信した後に、受信した放送データを復号して表示する携帯端末装置と、この携帯端末装置に接続される外部接続装置からなる放送データ受信システムの放送データ出力方法であって、
前記携帯端末装置が前記外部接続装置に接続されたことを検出する検出ステップと、
この検出ステップにより外部接続装置に接続されたことを検出すると、前記外部接続装置における復号処理に適した他の符号化方式で符号化された放送データを前記外部接続装置へ出力する第１の出力ステップと、
を含むことを特徴としている。
【００１６】
請求項１０に記載の発明は、請求項９に記載の放送データ出力方法において、
前記外部接続装置が、前記携帯端末装置に備えられた充電池を充電する充電ステップを更に含むこと、
を特徴としている。
【００１７】
請求項１１に記載の発明は、
コンピュータを、
それぞれ異なる符号化方式で符号化された放送データが多重化されて配信される放送システムより、携帯端末装置における復号処理に適した一の符号化方式で符号化された放送データの復号されたデータを表示する表示手段、
外部接続装置に接続されたことを検出する検出手段、
この検出手段により前記外部接続装置に接続されたことを検出すると、前記外部接続装置における復号処理に適した他の符号化方式で符号化された放送データを前記外部接続装置へ出力する出力手段、
として機能させることを特徴としている。
【発明の効果】
【００１８】
請求項１、２、９、及び、１１記載の発明によれば、一の符号化方式で符号化された放送データを復号して表示するとともに、外部接続装置に接続されると、他の符号化方式で符号化された放送データを外部接続装置へ出力するので、１セグメント放送を含むすべての地上波デジタル放送を受信し、出力することが可能となる。
【００１９】
請求項５記載の発明によれば、一の符号化方式で符号化された放送データが外部装置に出力され、外部接続装置側ではこの放送データを記憶するので、外部接続装置は、放送受信装置側で出力可能な放送データを保持することが可能となる。
【００２０】
請求項６記載の発明によれば、外部装置は着脱可能な外部記憶媒体を備えるので、この放送受信装置により出力可能な放送データを外部に持ち出すことが可能となる。
【００２１】
請求項７記載の発明によれば、一の符号化方式で符号化された放送データを出力するか、他の符号化方式で符号化された放送データを出力するかを設定することができるので、ユーザは出力を所望する放送データを設定することが可能となる。
【００２２】
請求項４記載の発明によれば、外部接続装置側に受信チャンネルを選局する選局手段を備えているので、放送受信装置を外部装置に接続しても、ユーザは所望のチャンネルを受信することが可能となる。
【００２３】
請求項３又は１０記載の発明によれば、外部接続装置は放送受信装置の充電池を充電する充電手段を備えているので、放送受信装置を充電することが可能となる。
【００２４】
請求項８記載の発明によれば、外部接続装置が備える選局手段は、携帯端末装置が備える選局手段よりもサイズが大きいため、携帯通信端末の小さい選局手段を用いての操作に比べ、ユーザの操作性が向上する。
請求項１から１１記載の発明によれば、携帯通信端末は、放送を受信するので、ユーザは放送受信機能と通信機能とを利用することが可能となる。
【発明を実施するための最良の形態】
【００２５】
以下、図を参照して、本発明の実施形態について詳細に説明する。
【００２６】
まず、図１に本実施形態に係る放送受信装置としての携帯通信端末（以下、携帯電話）１の蓋を閉じた状態の外観図を示す。（ａ）は、正面図、（ｂ）は、Ｂ方向から見た側面図、（ｃ）は、Ａ方向から見た側面図、（ｄ）は、背面図である。
【００２７】
図に示すように、携帯電話機１は、蓋部２と本体３をヒンジ結合した折畳み式のもので、本体３の一側面に充電端子面４及び信号端子面５を備えている。図示例では、一対の充電端子面４の間に三個の信号端子面５が並んだ構成としたがこれに限定されない。また、Ｂ方向から見た側面の蓋部２は、動画を撮影する録画キーとしてのＲＥＣキー９、受信したテレビ番組のチャンネルを選択する左右キー１０、マナーモードを設定するマナーキー１１、全画面表示設定やサービス切替表示を表示させるＸキー１２等の各種キーを備える。さらに、Ａ方向から見た蓋部２の側面には、テレビ番組閲覧時には音量を調整する上下キー７、ＴＶ画像データを取り込むシャッターキー８が備えられている。また、本体部３の背面には、カメラを起動させて撮影をする際に使用する撮像レンズ６及び携帯電話１の着信時に着信音を鳴動したり、取得したメロディなどを再生するためのスピーカ９５が配置されている。
【００２８】
次に、図２に、携帯電話１を開いた状態の外観図を示す。（ａ）は、正面外観を示し、（ｂ）は、右側面の外観を示す。
【００２９】
図２に示すように、蓋部２は、本体部３に対し第１ヒンジ部１００を回転軸として開閉可能（矢印α）に配置されているほか、第２ヒンジ部１９を回転軸として回転可能（矢印β）になっている。蓋部２は、受話スピーカ９１、表示部１２０、データ通信用の内蔵アンテナ（図示略）を内蔵している。受話スピーカ９１は、ダイナミックスピーカであり、蓋部２の内面に配置されている。表示部１２０は、蓋部２の内面に配置され、映像表示が可能なＴＦＴ液晶（ＱＶＧＡもしくは、ＨＶＧＡ担当の解像度を備える）などで構成され、テレビ画像を再生表示する。
【００３０】
第１ヒンジ部１００は、蓋部２に連結されて当該蓋部２と一体的に回転する可動部１０１と、本体部３側に固定されるとともに可動部１０１の両側に設けられた左右一対の固定部１０２、１０３とで構成されている。
【００３１】
本体部３は、キー入力部６７と送信マイク９２を備える。キー入力部６７は、決定キー６６、カーソルキー６２、ファンクションキー６３、６４、及びテンキー６５を備え、キーの押下操作に対応する操作信号を制御部３０（後述）へ出力する。
【００３２】
なお、（ｂ）に示す右側外観図の構成は、図１（ｃ）と同様であるため、説明は省略する。
【００３３】
図３（ａ）に、蓋部２をβ方向に回転させて閉じた時の正面外観図を示し、（ｂ）に、Ｄ方向から見た場合の側面図を示す。（ｃ）は、充電台２０ａに、（ａ）に示す状態の携帯電話１を設置した場合の外観図を示す。なお、（ａ）は、図２（ａ）の蓋部２と同様の構成であるため、同じ符号を付し、説明は省略する。また、（ｂ）についても、図１（ａ）の蓋部２及び（ｃ）の本体部３の構成であるため、同じ符号を付し、各部の説明は省略する。
【００３４】
図３（ｃ）に示すように、携帯電話１を充電する場合は、外部接続装置としての充電台２０ａに設置することにより開始する。充電中は、表示部１２０にカレンダーや時計と一緒に撮影した画像、ムービー等を表示させる。
【００３５】
また、この充電台２０ａは、内部に記憶手段を備えており、携帯電話１で受信した地上波デジタル放送を前記記憶手段に記憶し、携帯電話１の表示部１２０に表示させることにより、ＴＶ番組の閲覧を可能とする。なお、図３（ｂ）に示すように、蓋部２をβ方向に回転させて閉じることにより、各種機能キーが同一側面に設置される。従って、充電台２０ａに携帯電話１をセットした状態で、携帯電話１を用いてＴＶ番組を閲覧する際は、一側面に設置されたこれらの各種機能キーにより、チャンネルの選択や、音量調整を行う。
【００３６】
図４に、本実施形態に係る携帯電話１の主要部構成を示す。
【００３７】
図に示すように、携帯電話１は、制御部３０、ＲＦ部４０、ドライバ部５０、入力部６０、記憶部７０、カメラ部８０、音声処理部９０、テレビ部１１０、表示部１２０及び電源部１４０等により構成される。
【００３８】
制御部３０は、入力される指示に応じて、所定のプログラムに基づいた処理を実行し、各機能部への指示やデータの転送を行う中央演算装置である。具体的には、入力部６０から入力される操作信号に応じてプログラムＲＯＭ（Read Only Memory）７１に格納されたプログラムを読み出し、当該プログラムに従った処理を実行する。そして、その処理結果をディスプレイ１２３に表示させる。
【００３９】
ＲＦ部４０は、制御部３０から入力される指示に基づいて、アンテナＡＮＴ１１６に内蔵された無線アンテナ（図示省略）を介して無線通信網（無線電話網を含む）上の無線基地局と接続して、音声通話の無線通信やデータ通信を行う。ＲＦ部４０と無線基地局間で送受信される無線信号の変復調方式としては、ＣＤＭＡ（Code Division Multiple Access）方式、ＧＳＭ（Global System for Mobile communication）方式、ＰＤＣ（Personal Digital Cellular）方式等の各種公知技術の何れかを利用することとしてもよい。
【００４０】
ドライバ５０は、ＬＥＤ（Light Emitting Diode）ドライバ５１、モータドライバ５２、ＵＳＢ（Universal Serial Bus）ドライバ５３を備えて構成される。ＬＥＤドライバ５１は、キーマトリックス６１やディスプレイ１２３のバックライト用ＬＥＤ、カメラフラッシュ用のＬＥＤ等の駆動制御を行う。
【００４１】
モータドライバ５２は、各種モータＭの駆動制御を行う。ＵＳＢドライバ５３は、ＩＦコネクタ５４へのＵＳＢケーブル（図示省略）の接続の有無の検知や、当該ＵＳＢケーブルを介して行う外部機器とのデータ通信の制御等を行う。
【００４２】
入力部６０は、テンキー、各種ファンクションキーなど、プログラムの実行開始の指示入力や、各種情報の入力に必要なキーマトリックス６１を備えた入力装置であり、ユーザのキー操作による押下信号を制御部３０へ出力する。
【００４３】
記憶部７０は、プログラムＲＯＭ７１、ワークＲＡＭ（Random Access Memory）７２、データストレージＲＡＭ７３等を備える。プログラムＲＯＭ７１は、携帯電話１の動作に必要なプログラムの実行に係るデータを格納する。
【００４４】
ワークＲＡＭ７２は、ＤＲＡＭで構成され、携帯電話１の動作に係る各種機能を実現するためのデータやアプリケーションプログラム等を一時的に格納する。
【００４５】
データストレージＲＡＭ７３は、読み書き可能な不揮発性メモリで構成され、携帯電話１の各種瀬手知情報や、アドレス帳などのユーザ情報、受信したテレビ番組等を記憶する。
【００４６】
カメラ部８０は、ＣＭＯＳ（Complementary Metal Oxide Semiconductor）センサやＣＣＤ（Charge Coupled Device）センサ等の撮像素子８１と、光学レンズ８２、Ａ／Ｄ変換器（図示省略）等を備える。光学レンズ８２を介して入力される被写体の光学像を撮像素子８１により光電変換し、当該光電変換により得た電気信号を、Ａ／Ｄ変換部により変換し、デジタル画像データを生成する。この生成した画像データは、制御部３０に出力して、データストレージＲＡＭ７３に記憶する。
【００４７】
音声処理部９０は、受話スピーカ９１、送信マイク９２、イヤホンマイク９３、音源ＩＣ９４及びステレオスピーカ９５等により構成される。受話スピーカ９１は、ＲＦ部４０の無線通信により受信された受話音声をＤ／Ａ変換、増幅等の処理により音声出力を行う。送信マイク９２は、入力される送話音声をＡ／Ｄ変換して、ＲＦ部４０を介して送信する。イヤホンマイク９３は、イヤホンとマイクとが一体的に形成され、イヤホンジャックに挿入される（図示省略）。制御部３０は、イヤホンマイク９３が接続されたことを検知すると、当該イヤホンマイク９３を介して、受話音声及び送話音声、ＴＶ音声の入出力を行う。
【００４８】
音源ＩＣ９４は、ステレオスピーカ９５への音声出力の制御や、着信音等の音源を記憶してその音源の出力制御を行う。
【００４９】
ＴＶ部１１０は、音声及び映像を含む地上波デジタルＴＶ放送を受信するための回路部である。ＴＶ部１１０は、地上波デジタルＴＶチューナモジュール１１７と、ＴＶアクセラレータ１１１と、ＴＶ用アンテナＡＮＴ１１６を備える。
【００５０】
地上波デジタルＴＶ放送は、複数の電波を多重化して送受信することが可能なＯＦＤＭ（Orthogonal Frequency Division Multiplexing：直交周波数分割多重方式）が利用され、複数の電波が多重化されたものである。
【００５１】
制御部３０は、ユーザのキー操作によりＴＶを受信する旨の信号を受信すると、ＴＶ部１１０を駆動させ、ＴＶ部１１０により受信したＴＶ放送を表示部１５に表示する。そして、スピーカ９５から音声出力する。
【００５２】
地上波デジタルＴＶチューナモジュール１１７はＴＶ用アンテナＡＮＴ１１６を同調させることによって、ユーザにより選局・指定された放送局のチャンネルに対応する周波数の信号（ＯＦＤＭ変調信号）を受信してＴＶアクセラレータ１１１に出力する回路部である。
【００５３】
地上波デジタルＴＶチューナーモジュール１１７は、受信したＯＦＤＭ変調信号をＡ／Ｄ変換し、そのデジタル信号に対し、同期処理、ＦＦＴ演算（Fast Fourier Transform）、誤り訂正処理を実行することによりＨ．２６４規格により映像信号及び音声信号が圧縮されたＴＳ（Transport Stream：トランスポート・ストリーム）を抽出する。尚、ＴＳを抽出するまでの各処理は、公知技術であるのでその説明は省略する。本実施形態に係る地上波デジタルＴＶモジュール１１７は、１セグメント放送用（Ｈ．２６４方式で符号化されたもの）、１２セグメント放送用（ＭＰＥＧ−２ ＴＳで符号化されたもの）の両方の放送データを受信することが可能である。
【００５４】
ＴＶアクセラレータ１１１は、地上波デジタルＴＶチューナモジュール１１７により抽出されたＴＳから映像信号、音声信号を分離し、その映像信号及び音声信号をそれぞれ復号する比較的消費電力の多い回路部である。具体的には、Ｉ２Ｃ規格のバス１１２を介して地上波デジタルＴＶチューナモジュール１１７を制御して当該地上波デジタルＴＶチューナモジュール１１７の初期化を行った後、ＴＳインターフェイス１１３を介して地上波デジタルＴＶチューナモジュール１１７から出力されるＴＳを取得する。そして、ＴＳから映像信号を介して表示部１２０のディスプレイ１２３に、音声データを音源ＩＣ９４にそれぞれ出力することで、ＴＶ放送の映像出力及び音声出力を行う。ＴＳはＭＰＥＧ（Moving Picture Experts Group）等の何れか一項に記載の公知技術で符号化されており、符号化された方式に対応する復号方式で復号される。
【００５５】
制御部３０は、上述したようにＴＶキー（図示省略）が押下されたことを検知することによりＴＶ部１１０全体を駆動制御して、地上波デジタルＴＶ放送の映像及び音声出力を行うＴＶ機能を実現する。これに対し、ＴＶ機能を起動していない場合、つまり、ＴＶ部１１０が非駆動のときに、制御部３０は、Ｉ２Ｃバス１５を介して地上波デジタルＴＶチューナモジュール１１７のみを駆動して直接制御する。そして、放送局全てのチャンネル又はサーチ局に設定されたチャンネルのＴＶ放送が受信可能か否かを判定し、ＴＶアクセラレータ１１２を介さないで、制御信号１１４に基づいてドライバ１３０を駆動させて携帯電話１のディスプレイ１２３に受信可能局を表示させる。
【００５６】
ディスプレイ１２３は、ＱＶＧＡ以上の解像度を備え、ドライバ１３０からの駆動信号を受けて、データ容量の大きい高解像度の映像であれば映像表示エリア１２２に、ピクトアイコンのような容量の小さいデータであれば、ピクトエリア１２１に表示する。なお、本実施形態に係る携帯電話１については、ディスプレイが１つであるが、メインディスプレイ及びサブディスプレイの２つのディスプレイを備える構成としてもよく、その場合は、ピクトアイコンのような容量の小さいデータは、サブディスプレイに表示するよう制御することが可能である。
【００５７】
電源部１４０は、電源用回路や充電池により構成され（図示省略）、制御部３０の指示に基づいて各機能部への電源供給を行う。
【００５８】
図５（ａ）に、充電台２０ａに設置する場合の正面図を示し、（ｂ）に、背面図を示す。
【００５９】
まず、携帯電話１を充電する場合は、携帯電話１のＩＦコネクタ５４に直接充電ケーブルを接続することにより可能であるが、本実施形態では、充電台２０ａの充電接続端子２２に充電ケーブルを接続し、図に示すように、充電台２０ａに携帯電話１を設置させることにより充電することが可能である構成とする（充電手段）。そして、充電台２０ａは、充電が開始されると、充電台２０ａに携帯電話１がセットされたか否かを判定する判定手段を備えている。さらに、充電接続端子の他に、出力手段として、マルチメモリカードスロット２１及びＵＳＢ接続端子２３を有する。
【００６０】
マルチメモリカードスロット２１は、スマートメディア、ＳＤカード、メモリスティック等の着脱可能に構成された外部記録媒体を差し込むための差し込み口である。このマルチメモリカードスロット２１に記録媒体を差し込むと、携帯電話１が受信したＴＶ画像は、この記録媒体に録画される。また、ＵＳＢ接続端子２３に、ＵＳＢケーブルを接続し、他方に外部接続装置、例えば、ＰＣを接続することにより、携帯電話１が受信したＴＶ画像は、ＰＣのＨＤＤ等のＤＢ格納手段に記憶される。
【００６１】
例えば、携帯電話１を充電台２０ａに設置した状態で、地上波デジタル放送を受信した場合、マルチメモリカードスロット２１に記録媒体が差し込まれておらず、さらに、ＵＳＢ接続端子にもＵＳＢケーブルが接続されていなければ、携帯電話１のデータストレージＲＡＭ７３（以下、データフォルダ）にＴＶ画像を記憶する。このとき、携帯電話１でＴＶ画像を観ることを前提としているため、地上波デジタル放送の１３セグメントのうち、１セグメント放送分のみ記憶する。なお、携帯電話１を充電台２０ａに設置せずに直接充電する場合も同様である。携帯電話１のＩＦコネクタ５４に充電ケーブルを接続して充電している際に地上波デジタル放送を受信した場合、携帯電話１でＴＶ画像を観るため、１セグメント放送を記憶する。
【００６２】
同様に、携帯電話１を充電台２０ａに設置した状態で、マルチメモリカードスロット２１に記録媒体が差し込まれている場合において、当該記録媒体が、メモリカード等のような小型なものであるときは、携帯電話１で観ることを前提としているので、１セグメント放送分のみ、当該記録媒体に記憶する。この状態で、ＵＳＢケーブルがＵＳＢ接続端子２３に接続されている場合は、外部のディスプレイで観ることを前提としているので、１２セグメント放送を、ＵＳＢケーブルで接続される媒体のＨＤＤ等に記憶する。
【００６３】
また、充電台２０ａのマルチメモリカードスロット２１にメモリスティック等の大型の記録媒体が差し込まれている場合や、充電台２０ａのＵＳＢ接続端子にＵＳＢケーブルが接続され、他方がＰＣ等に接続されている場合は、外部のディスプレイで見ることを前提としているため、１２セグメント放送を記憶する。
【００６４】
次に、図６に、充電台２０ａの主要部構成を示す。
【００６５】
図に示すように、充電台２０ａは、図５で示した各部の他に、コネクタ２４、ＣＰＵ（Central Processing Unit）２５、記憶部２６、ＲＯＭ（Read Only Memory）２７、ＡＣ／ＤＣ変換部２８等により構成される。
【００６６】
ＣＰＵ２５は、入力される指示に応じて、所定のプログラムに基づいた処理を実行し、各機能部への指示やデータの転送を行う中央演算装置である。具体的にＣＰＵ２５は、受信した信号に応じて、ＲＯＭ２７に格納されたプログラムを読み出し、当該プログラムに従った処理を実行する。そして、その処理結果を表示部１５に表示させる。
【００６７】
例えば、充電台２０ａのコネクタ２４に携帯電話１を設置した状態で、携帯電話１が受信する地上波デジタル放送が１セグメント放送に設定されている場合、ＣＰＵ２５は、その設定受信放送に基づいてＴＶ画像の保存箇所の判定をする。従って、設定受信放送が１セグメント放送である旨を判定し、設定保存箇所がメモリカードであると判定すると、ＲＯＭに格納されるプログラムを起動し、メモリへの録画を開始する。そして、録画が終了すると、その旨を携帯電話１に送信する。
【００６８】
ＲＯＭ２７は、充電器２０ａの動作に係る各種機能を実現するためのプログラムを記憶する。これらのプログラムは、書き換える必要のないプログラムや、書き換えてはいけないプログラムである。
【００６９】
記憶部２６は、ＨＤＤ等のＤＢ格納手段を備え、携帯電話１が受信した地上波デジタル放送のＴＶ画像の保存箇所として指示された場合には、この記憶部２６のＤＢ格納手段に録画される。録音再生時には、ＣＰＵ２５の指示によりＲＯＭに格納されたプログラムに基づいて、記憶部２６に記憶されたデータが読み出され、表示部１２０に表示される。
【００７０】
ＡＣ／ＤＣ変換部２８は、充電接続端子２２を介して入力されたＡＣ電圧をＤＣ電圧に変換して充電器２０ａに電圧供給すると共に、コネクタ２４を介して携帯電話１に電圧供給する。
【００７１】
次に、図７のフローチャートを参照して、受信したＴＶ画像の録画処理について説明する。
【００７２】
まず、携帯電話１の充電を開始すると、携帯電話１が充電台２０ａにセットされているか否かを判定する（ステップＳ１）。ステップＳ１において、携帯電話１が充電台２０ａにセットされていないと判定すると（ステップＳ１；ＮＯ）、充電台２０ａを使用せずに直接充電ケーブルを携帯電話１に接続しているため、直接充電を開始する（ステップＳ８）。ステップＳ８において、充電台２０ａを介さず、直接充電ケーブルを接続することにより充電を開始すると、設定受信放送１セグメントを受信したか否かを判定する（ステップＳ９）。
【００７３】
ステップＳ９において、設定受信放送１セグメントを受信したと判定すると（ステップＳ９；ＹＥＳ）、携帯電話１のデータフォルダにＴＶ画像の録画を開始する（ステップＳ１０）。そして録画が終了すると（ステップＳ７）、通常の待ち受け画面を表示部１５に表示する。
【００７４】
ステップＳ９において、設定受信放送１セグメントを受信していないと判定すると（ステップＳ９；ＮＯ）、設定受信放送１２セグメントを受信する（ステップＳ１１）。ステップＳ１１において、設定受信放送１２セグメントを受信すると、携帯電話１のデータフォルダには録画できないため、録画不可である旨を表示部１５にＰＯＰ−ＵＰ表示する。そして録画処理を終了し（ステップＳ７）、通常の待ち受け画面を表示部１５に表示する。
【００７５】
一方、ステップＳ１において、携帯電話１が充電台２０ａにセットされていると判定すると（ステップＳ１；ＹＥＳ）、設定受信放送１セグメントを受信したか否かを判定する（ステップＳ２）。ステップＳ２において、設定受信放送１セグメントを受信していないと判定すると（ステップＳ２；ＮＯ）、設定受信放送１２セグメントを受信する（ステップＳ２１）。
【００７６】
一方、ステップＳ２において、設定受信放送１セグメントを受信したと判定すると（ステップＳ２；ＹＥＳ）、録画データ保存箇所が、携帯電話１のデータフォルダ又は充電台２０ａにメモリカードが挿入されている場合はメモリカードに設定されているか否かを判定する（ステップＳ３）。
【００７７】
ステップＳ３において、録音データ保存箇所が、携帯電話１のデータフォルダ又はメモリカードに設定されていると判定すると（ステップＳ３；ＹＥＳ）、充電台２０ａのマルチメモリカードスロット２１にメモリカードが挿入済みであるか否かを判定する（ステップＳ４）。
【００７８】
ステップＳ４において、充電台２０ａのマルチメモリカードスロット２１にメモリカードが挿入済みであると判定すると（ステップＳ４；ＹＥＳ）、当該メモリカードに受信したＴＶ画像の録画を開始する（ステップＳ５）。ステップＳ５において、録画を開始した後、録画終了すると（ステップＳ７）、通常の待ち受け画面を表示部１５に表示する。
【００７９】
一方、ステップＳ４において、充電台２０ａのマルチメモリカードスロット２１にメモリカードが挿入済みでないと判定すると（ステップＳ４；ＮＯ）、携帯電話１のデータフォルダに受信したＴＶ画像を録画する（ステップＳ６）。ステップＳ６において、携帯電話１のデータフォルダに、受信したＴＶ画像の録画を開始した後、録画が終了すると（ステップＳ７）、通常の待ち受け画面を表示部１５に表示する。
【００８０】
また、ステップＳ３において、録音データ保存箇所が、携帯電話１のデータフォルダ又はメモリカードに設定されていないと判定すると（ステップＳ３；ＮＯ）、録画データ保存箇所が、充電台２０ａに挿入されているＣＦ、ＳＤ、ＳＭ、ＭＳ、ＭＭＣ等のメモリカード、又は、充電台２０ａに内蔵されているＨＤＤに設定されているか否かを判定する（ステップＳ１３）。
【００８１】
ステップＳ１３において、録画データ保存箇所が、充電台２０ａに挿入されているメモリカード又は充電台２０ａに内蔵されているＨＤＤに設定されていると判定すると（ステップＳ１３；ＹＥＳ）、受信したＴＶ画像をメモリカードに録画するか否かを判定する（ステップＳ１４）。ステップＳ１４において、受信したＴＶ画像をメモリカードに録画すると判定すると（ステップＳ１４；ＹＥＳ）、指定したマルチカードスロット２１に挿入してあるメモリカードに受信したＴＶ画像の録画を開始する。このとき、複数のマルチカードスロット２１のそれぞれにメモリカードが挿入されている場合は、ユーザの選択によりメモリカードを指定し、当該メモリカードに録画を開始する。
【００８２】
ステップＳ１５において、指定したマルチカードスロット２１に挿入してあるメモリカードに受信したＴＶ画像の録画を開始した後、録画が終了すると（ステップＳ７）、通常の待ち受け画面を表示部１５に表示する。
【００８３】
ステップＳ１４において、受信したＴＶ画像をメモリカードに録画しないと判定すると（ステップＳ１４；ＮＯ）、充電台２０ａに内蔵されているＨＤＤに録画を開始する（ステップＳ１６）。ステップＳ１６において、充電台２０ａに内蔵されているＨＤＤにＴＶ画像の録画を開始した後、録画が終了すると（ステップＳ７）、通常の待ち受け画面を表示部１５に表示する。
【００８４】
一方、ステップＳ１３において、録画データ保存箇所が、充電台２０ａに挿入されているメモリカード又は充電台２０ａに内蔵されているＨＤＤに設定されていないと判定すると（ステップＳ１３；ＮＯ）、録音データ保存箇所をＵＳＢケーブルで接続されているＰＣ等のＨＤＤに設定する（ステップＳ１７）。
【００８５】
ステップＳ１７において、録音データ保存箇所をＵＳＢケーブルで接続されているＰＣ等のＨＤＤに設定する又はステップＳ２１において、設定受信放送１２セグメントを受信すると、ＵＳＢケーブルを介して接続先と接続を開始する（ステップＳ１８）。ステップＳ１８において、ＵＳＢケーブルを介して接続さきと接続を開始すると、接続が成功したか否かを判定する（ステップＳ１９）。
【００８６】
ステップＳ１９において、接続が成功したと判定すると（ステップＳ１９；ＹＥＳ）、接続先のＨＤＤ等のＤＢ格納手段に、ＴＶ画像の録画を開始する（ステップＳ２０）。ステップＳ２０において、接続先のＨＤＤ等へのＴＶ画像の録画を開始した後、録画が終了すると（ステップＳ７）、通常の待ち受け画面を表示部１５に表示する。
【００８７】
一方、ステップＳ１９において、接続が成功しなかったと判定すると（ステップＳ１９；ＮＯ）、接続が失敗した旨を表示部１５にＰＯＰ−ＵＰ表示する（ステップＳ２２）。ステップＳ２２において、接続が失敗した旨を表示部１５にＰＯＰ−ＵＰ表示すると、他の保存先を選択し（ステップＳ２３）、選択により指定した箇所にＴＶ画像の録画を開始する（ステップＳ２４）。ステップＳ２４において、選択により指定した箇所にＴＶ画像の録画を開始した後、録画が終了すると（ステップＳ７）、通常の待ち受け画面を表示部１５に表示する。
【００８８】
以上のように、充電台２０ａに備えられたＵＳＢ接続端子にＵＳＢケーブルを介してＰＣ等を接続し、ＰＣのＨＤＤにＴＶ画像を保存できることにより、携帯電話１で受信したハイビジョン放送を、ＰＣの大画面で観ることが可能となる。また、受信する地上波デジタル放送の放送形態に適応する保存箇所に、ＴＶ画像を保存することにより、例えば、放送形態が１２セグメント放送だったために、保存はしたものの携帯電話１で観ることができないという問題を回避することが可能となる。
【００８９】
＜変形例＞
次に、本実施形態に係る充電台２０ａの変形例について説明する。
【００９０】
まず、図８に、変形例に係る充電台２０ｂの外観構成図を示す。（ａ）は、変形例に係る充電台２０ｂに設置する場合の正面図を示し、（ｂ）は、背面図を示している。また、（ｃ）は、変形例に係る充電台２０ｂの上面図である。
【００９１】
なお、（ｂ）に示すように、変形例に係る充電台２０ｂの背面図は、図５（ｂ）に示す充電台２０ａと同様の構成であるため、同様の部位には同じ符号を付し、説明は省略する。
【００９２】
図８（ａ）の正面図及び（ｃ）の上面図に示すように、変形例に係る充電台２０ｂは、マルチメモリカードスロット２１とチャンネルの選局をする選局手段を含むＴＶコントロール用キーデバイス２９を備えて構成される。ＴＶコントロール用キーデバイス２９は、数字キー２９１、上下キー２９２、その他ファンクションキー２９３等を有する。数字キー２９１は、チャンネルの変更等に使用するキーである。数字キー２９１を用いてチャンネルを変更するときは、直接観たい番組の数字キー２９１を押下することにより実行できる。
【００９３】
上下キー２９２は、ＴＶ番組閲覧時の音量を調整するキーである。また、上下キー２９２を用いて、チャンネルを変更することも可能である。また、その他のファンクションキー２９３には、サウンドの選択キーや、ミュートキー等、ＴＶ閲覧時のキー操作に必要と考えられる全ての機能キーが備えられる。さらに、録音データ保存箇所を選択可能なキーを有する。録音データを保存できる箇所は、携帯電話１のデータフォルダ、充電器２０ｂの内蔵ＨＤＤ、充電器２０ｂのマルチメモリカードスロット２１に挿入されたメモリカード又はメモリカード、ＵＳＢケーブル接続先のＨＤＤ等があり、それぞれを選択するキーを有する構成としてもよい。また、ＴＶ閲覧操作だけでなく、直接録画予約操作をすることも可能とする。
【００９４】
図９に、変形例に係る充電台２０ｂの主要部構成を示す。なお、実施例に係る充電台２０ａと同様の部位には同じ符号を付し、説明は省略する。
【００９５】
図に示すように、変形例にかかる充電台２０ｂは、図６に示す各部の他に、ＴＶコントロール用キーデバイス２９を備えて構成される。ＴＶコントロール用キーデバイス２９の数字キー２９１を押下することによりユーザは観たいＴＶ放送を選択する。そして、その選択信号がＣＰＵ２５に入力されると、ＣＰＵ２５は、その選択信号に基づいてＲＯＭ２７に記憶されているプログラムを読み出し、携帯電話１のデータフォルダ、記憶部２６又はマルチメモリカードスロット２１に挿入されたメモリカードに録画されたＴＶ放送を携帯電話１のディスプレイ１２３に表示させる。また、音量の調整等についても、ＴＶコントロール用キーデバイス２９のキーにより操作可能である。
【００９６】
以上のように、充電台２０ｂに数字キー２９１や上下キー２９２を備え、これらを操作することにより携帯電話１でのＴＶ番組の閲覧を可能にすることにより、携帯電話１の小さいキーを用いての操作に比べ、ユーザの操作性が向上する。また、音量調整や番組選択のようなＴＶ番組閲覧時の操作だけでなく、録画キーを備えるため、ＴＶ画像の保存先をキー操作にて選択可能となり、自由度を向上させることができる。
【図面の簡単な説明】
【００９７】
【図１】携帯電話の蓋を閉じた状態の外観図である。
【図２】携帯電話を開いた状態の外観図である。
【図３】携帯電話の表示画面を外側にして蓋を閉じた状態の外観図である。
【図４】携帯電話の主要部構成を示す図である。
【図５】携帯電話を充電する充電台の外観図である。
【図６】携帯電話を充電する充電台の主要部構成を示す図である。
【図７】携帯電話が受信したＴＶ画像の録画処理を示すフローチャートである。
【図８】変形例に係る充電台の外観図である。
【図９】変形例に係る充電台の主要部構成を示す図である。
【符号の説明】
【００９８】
１  携帯通信端末
２  蓋部
３  本体部
４  充電端子面
５  信号端子面
６  撮像レンズ
７  上下キー
８  シャッターキー
９  ＲＥＣキー
１０  左右キー
１１  マナーキー
１２  Ｘキー
１３  スピーカ
２０ａ、２０ｂ  充電台
２１  マルチメモリカードスロット
２２  充電接続端子
２３  ＵＳＢ接続端子
２４  コネクタ
２５  ＣＰＵ
２６  記憶部
２７  ＲＯＭ
２８  ＡＣ／ＤＣ変換部
２９  ＴＶコントロール用キーデバイス
２９１  数字キー
２９２  上下キー
２９３  ファンクションキー
３０  制御部
４０  ＲＦ部
５０  ドライバ部
５１  ＬＥＤドライバ
５２  モータドライバ
５３  ＵＳＢドライバ
５４  ＩＦコネクタ
６０  入力部
６１  キーマトリックス
６２  カーソルキー
６３  、６４  ファンクションキー
６５  テンキー部
６６  決定キー
６７  キー入力部
７０  記憶部
７１  プログラムＲＯＭ
７２  ワークＲＡＭ
７３  データストレージＲＡＭ
８０  カメラ部
８１  撮像素子
８２  光学レンズ
９０  音声処理部
９１  受話スピーカ
９２  送信マイク
９３  イヤホンマイク
９４  音源ＩＣ
９５  ステレオスピーカ
１１０  ＴＶ部
１１１  ＴＶアクセラレータ
１１２  バス
１１３  ＴＳインターフェイス
１１４  制御信号  
１１６  ＴＶ用アンテナＡＮＴ
１１７  地上波デジタルＴＶチューナモジュール
１２０  表示部
１２１  ピクトアイコン
１２２  映像表示エリア
１２３  ディスプレイ
１３０  ドライバ
１４０  電源部
１９  第２ヒンジ部
１００  第１ヒンジ部
１０１  可動部
１０２  固定部
１０３  固定部
【図１】
0004525548.tif 000002
【図２】
0004525548.tif 000003
【図３】
0004525548.tif 000004
【図４】
0004525548.tif 000005
【図５】
0004525548.tif 000006
【図６】
0004525548.tif 000007
【図７】
0004525548.tif 000008
【図８】
0004525548.tif 000009
【図９】
0004525548.tif 000010